(57)【要約】【課題】部品点数の削減を図ることによって装置の小型、軽量化を実現しつつ、撮影レンズの焦点距離変動に合わせた正確な絞り開口径の制御が可能なレンズ装置を提供する。【解決手段】このレンズ装置３０は、ズームレンズの広角端から望遠端への変倍を行うに際し、回転部材２０を光軸Ｏを中心に矢印アの方向へ回転させる。回転部材２０の回転により、絞り開放端規制カム溝２３の下底部が絞り機構１０の絞り駆動カムピン１５ｃに対して摺動することによって、絞り駆動カムピン１５ｃが保持される位置を徐々に押し上げていく。この結果、常に絞り駆動カムピン１５ｃが絞り開放端規制カム溝２３によって絞り開口を開放する方向に動かないように規制され、各ズームポジションに必要以上の光が入射しないように制御することができる。【選択図】図３
2014032261.tif 000002
【特許請求の範囲】
【請求項１】
複数のレンズ群からなり少なくとも一部のレンズ群を光軸に沿う方向へ移動させることにより広角端から望遠端への変倍を行うズームレンズと、
前記レンズ群を光軸に沿う方向へ移動させる際に光軸を中心に回動する回転部材と、
一対の絞り羽根と、回転駆動する駆動源と、該駆動源の回転駆動力を前記一対の絞り羽根に伝達し該絞り羽根を光軸に対し略垂直な方向に移動させて開口径を変化させる駆動力伝達手段と、を有する絞り機構と、
を備えたレンズ装置であって、
前記駆動力伝達手段には、前記一対の絞り羽根の一方を駆動するため当該絞り羽根に挿入される絞り駆動ピンと、前記一対の絞り羽根の他方を駆動するため当該絞り羽根を貫通して光軸に沿う方向に前記絞り駆動ピンよりも長く延びる絞り駆動カムピンと、が形成され、
前記回転部材には、前記絞り駆動カムピンと係合して該絞り駆動カムピンの可動範囲を制限し、絞りの開放端にて前記絞り駆動カムピンの絞りの開放側への可動を規制する絞り開放端規制手段が形成され、
前記回転部材が、前記ズームレンズの変倍に伴って光軸を中心に回動したときに、前記絞り開放端規制手段が前記絞り駆動カムピンを所定の位置にて絞りの開放側の可動範囲を規制することにより、前記ズームレンズの各ズームポジションに応じた絞りの開口径の最大値を規定することを特徴とするレンズ装置。
【請求項２】
前記絞り開放端規制手段は、前記絞り駆動カムピンの先端部と対向し光軸に対し略垂直な前記回転部材の端面に形成され、光軸周りに位置することを特徴とする請求項１に記載のレンズ装置。
【請求項３】
前記絞り開放端規制手段は、光軸を中心とする放射方向において各ズームポジションに応じて光軸からの距離を任意に設定したカム形状に形成されていることを特徴とする請求項２に記載のレンズ装置。
【発明の詳細な説明】
【技術分野】
【０００１】
本発明は、焦点距離可変の撮影レンズの焦点距離変動に合わせて絞り開口径を変化させる絞り機構を備えたレンズ装置に関する。
【背景技術】
【０００２】
焦点距離可変の撮影レンズを用いた写真等の撮影に際して、光学性能を維持すべく、撮影レンズの焦点距離変動に適した露光量を得るために、撮影レンズの焦点距離変動に合わせて絞り開口径を変化させる技術が多く提案されている（たとえば、特許文献１〜４を参照。）。
【０００３】
特許文献１に記載のレンズ鏡筒は、一端がズームレンズ枠に取り付けられ他端が絞りユニットのカムに係合された連動レバーが設けられており、ズームレンズ枠の光軸に沿う方向への移動に合わせて、連動レバーがカムに沿って従動することにより絞り羽根の開放径を可変させるものである。
【０００４】
また、特許文献２に記載の可変絞り装置は、羽根保持部材の外周側に設けられた内筒のカム溝に係合するコロ軸と一体になっている羽根保持部材が、カム溝の移動により光軸周りに回転することにより、ズーム位置に対応する開放口径を形成するものである。
【０００５】
また、特許文献３に記載のレンズ鏡筒は、固定筒に設置された光軸回転規制部材に絞りユニットの駆動部材が当接しており、絞りユニットが光軸に沿う方向へ移動するのに応じて、駆動部材が光軸周りに変異し、絞り羽根の開口径が規制されるものである。
【０００６】
また、特許文献４に記載のレンズ鏡筒は、可変焦点距離のレンズ鏡筒において、通常の露出調整用の絞り手段と、それとは別に光量を制限する開放Ｆ値制限手段とを設け、開放Ｆ値制限手段による光量の制限をズームレンズの焦点距離に応じて変更することによって、ズームレンズの焦点距離に応じた開放Ｆ値の変更を行うものである。
【先行技術文献】
【特許文献】
【０００７】
【特許文献１】特開２０１１−１３３６２１号公報
【特許文献２】特開２００１−２９０１９０号公報
【特許文献３】特開昭５８−９１４３５号公報
【特許文献４】特開２００７−３３９０３号公報
【発明の概要】
【発明が解決しようとする課題】
【０００８】
特許文献１〜３に記載の技術は、機械的にズームレンズのズームポジションごとに絞り開放値を制御して、撮影レンズの焦点距離変動に合わせて絞り開口径を変化させるものである。また、特許文献４に記載の技術は、絞りユニットとは別の開放値制御ユニットを設けて、上記各特許文献に記載の技術と同様の制御を行っている。
【０００９】
近年、デジタルカメラ等の撮像装置において、焦点距離変更可能なズームレンズ等の撮影レンズの高性能化が進み、撮影レンズの小型、軽量化が可能になってきた。これに伴い、撮影レンズを搭載するレンズ装置の小型、軽量化も強く望まれている。
【００１０】
しかしながら、上記各特許文献に記載の技術をはじめとして従来技術では、レンズ装置を構成する部品点数が多いため、装置構成が複雑であるとともに、装置が大型でありその重量も重く、ユーザの要求に十分に応えられていないという問題がある。
【００１１】
本発明は、上述した従来技術による問題点を解消するため、部品点数の削減を図ることによって装置の小型、軽量化を実現しつつ、撮影レンズの焦点距離変動に合わせた正確な絞り開口径の制御が可能なレンズ装置を提供することを目的とする。
【課題を解決するための手段】
【００１２】
上述した課題を解決し、目的を達成するため、本発明にかかるレンズ装置は、複数のレンズ群からなり少なくとも一部のレンズ群を光軸に沿う方向へ移動させることにより広角端から望遠端への変倍を行うズームレンズと、前記レンズ群を光軸に沿う方向へ移動させる際に光軸を中心に回動する回転部材と、一対の絞り羽根と、回転駆動する駆動源と、該駆動源の回転駆動力を前記一対の絞り羽根に伝達し該絞り羽根を光軸に対し略垂直な方向に移動させて開口径を変化させる駆動力伝達手段と、を有する絞り機構と、を備えたレンズ装置であって、前記駆動力伝達手段には、前記一対の絞り羽根の一方を駆動するため当該絞り羽根に挿入される絞り駆動ピンと、前記一対の絞り羽根の他方を駆動するため当該絞り羽根を貫通して光軸に沿う方向に前記絞り駆動ピンよりも長く延びる絞り駆動カムピンと、が形成され、前記回転部材には、前記絞り駆動カムピンと係合して該絞り駆動カムピンの可動範囲を制限し、絞りの開放端にて前記絞り駆動カムピンの絞りの開放側への可動を規制する絞り開放端規制手段が形成され、前記回転部材が、前記ズームレンズの変倍に伴って光軸を中心に回動したときに、前記絞り開放端規制手段が前記絞り駆動カムピンを所定の位置にて絞りの開放側の可動範囲を規制することにより、前記ズームレンズの各ズームポジションに応じた絞りの開口径の最大値を規定することを特徴とする。
【００１３】
さらに、本発明にかかるレンズ装置は、前記発明において、前記絞り開放端規制手段が、前記絞り駆動カムピンの先端部と対向し光軸に対し略垂直な前記回転部材の端面に形成され、光軸周りに位置することを特徴とする。
【００１４】
さらに、本発明にかかるレンズ装置は、前記発明において、前記絞り開放端規制手段が、光軸を中心とする放射方向において各ズームポジションに応じて光軸からの距離を任意に設定したカム形状に形成されていることを特徴とする。
【発明の効果】
【００１５】
本発明によれば、部品点数の削減を図ることによって装置の小型、軽量化を実現しつつ、撮影レンズの焦点距離変動に合わせた正確な絞り開口径の制御が可能なレンズ装置を提供することができるという効果を奏する。
【図面の簡単な説明】
【００１６】
【図１】実施の形態１にかかるレンズ装置に用いる絞り機構の斜視図である。
【図２】実施の形態１にかかるレンズ装置に用いる回転部材の構成を示す図である。
【図３】実施の形態１にかかるレンズ装置の構成を示す光軸に沿う断面図である。
【図４】回転部材２０の他の一例を示す図である。
【図５】回転部材２０の他の一例を示す図である。
【図６】レンズ装置３０の他の一例を示す光軸に沿う断面図である。
【図７】実施の形態２にかかるレンズ装置に用いる絞り機構の斜視図である。
【図８】実施の形態２にかかるレンズ装置に用いる回転部材の構成を示す図である。
【図９】実施の形態２にかかるレンズ装置に用いる絞り機構の一変形例を示す図である。
【発明を実施するための形態】
【００１７】
（実施の形態１）
図１は、実施の形態１にかかるレンズ装置に用いる絞り機構の斜視図である。図１（ａ）は最大開口（広角端）の状態を、図１（ｂ）は最小開口（望遠端）の状態を示しており、いずれも物体（不図示）側から見た状態を示している。
【００１８】
図１に示すように、この絞り機構１０は、絞りホルダ１１と、下側絞り羽根１２と、上側絞り羽根１３と、駆動源１４と、駆動力伝達部１５と、を備えて構成されている。
【００１９】
絞りホルダ１１の略中央部から上方寄りの位置には、略円形の光通過孔１１ａが形成されている。光透過孔１１ａの斜め上方および斜め下方には、それぞれ軸１１ｂ，１１ｃ，１１ｄ，１１ｅが図示しない物体側へ突出形成されている。軸１１ｄは軸１１ｂの直下に設けられており、軸１１ｅは軸１１ｃの直下に設けられている。また、軸１１ｂ，１１ｄと軸１１ｃ，１１ｅとは、絞りホルダ１１の中心線に対して線対称の位置にある。また、絞りホルダ１１の下方には、駆動源１４を収容するための駆動源収納部１１ｆが設けられている。
【００２０】
下側絞り羽根１２は、下方の略左半分が切り欠かれた形状で、略中央部からやや上方よりの位置に光透過孔１１ａの径にほぼ等しい略半円形状の開口形成部１２ａが形成されている。また、開口形成部１２ａの左右には、上下に長い直進ガイド穴１２ｂ，１２ｃが形成されている。直進ガイド穴１２ｂ，１２ｃは大きさ、形状とも同一であり、互いに下側絞り羽根１２の中心線に対して線対称の位置にある。また、直進ガイド穴１２ｃの直下に、直進ガイド穴１２ｄが形成されている。直進ガイド穴１２ｃ，１２ｄは、大きさ、形状とも同一である。さらに、下側絞り羽根１２の右側下端部には、回転連結穴１２ｅが形成されている。
【００２１】
上側絞り羽根１３は、下方の略右半分が切り欠かれた形状で、中心付近に光通過孔１１ａの径にほぼ等しい略半円形状の開口形成部１３ａが形成されている。また、開口形成部１３ａの左右には、上下に長い直進ガイド穴１３ｂ，１３ｃが形成されている。直進ガイド穴１３ｂ，１３ｃは大きさ、形状とも同一であり、互いに上側絞り羽根１３の中心線に対して線対称の位置にある。また、直進ガイド穴１３ｂの直下に、直進ガイド穴１３ｄが形成されている。直進ガイド穴１３ｂ，１３ｄは、大きさ、形状とも同一である。さらに、上側絞り羽根１３の左側下端部には、回転連結穴１３ｅが形成されている。
【００２２】
駆動源１４は、ステッピングモータやガルバノメータ等の回動タイプのアクチュエータである。
【００２３】
駆動力伝達部１５は、水平に延びるアーム１５ａと、アーム１５ａの両端部にそれぞれ設けられた絞り駆動ピン１５ｂ、絞り駆動カムピン１５ｃと、で構成されている。絞り駆動ピン１５ｂ、絞り駆動カムピン１５ｃは、ともに前方（物体側）に突出した形状を有し、絞り駆動カムピン１５ｃが絞り駆動ピン１５ｂよりも長く形成されている。
【００２４】
この絞り機構１０において、直進ガイド穴１３ｂ，１３ｃ，１３ｄにそれぞれ軸１１ｂ，１１ｃ，１１ｄを挿入することによって、上側絞り羽根１３を絞りホルダ１１に組み付ける。この状態で、直進ガイド穴１２ｂ，１２ｃ，１２ｄにそれぞれ軸１１ｂ，１１ｃ，１１ｅを挿入することによって、下側絞り羽根１２を絞りホルダ１１に組み付ける。そして、駆動源収納部１１ｆに収容された駆動源１４の回転軸に取り付けられた駆動力伝達部１５の絞り駆動ピン１５ｂを上側絞り羽根１３の回転連結穴１３ｅに挿入し、絞り駆動カムピン１５ｃを下側絞り羽根１２の回転連結穴１２ｅに対して挿通する。このとき、絞り駆動カムピン１５ｃが、下側絞り羽根１２の回転連結穴１２ｅから突出した状態になる。
【００２５】
このようにすることにより、絞り機構１０は、駆動源１４を駆動させることにより、下側絞り羽根１２、上側絞り羽根１３がそれぞれ上下方向にスライド可能になって、開口形成部１２ａと開口形成部１３ａによって形成される開口径の大きさを変化させることができる。
【００２６】
図２は、実施の形態１にかかるレンズ装置に用いる回転部材の構成を示す図である。図２（ａ）は像（絞り機構１０）側から見た斜視図であり、図２（ｂ）は像（絞り機構１０）側から見た正面図である。
【００２７】
この回転部材２０は、回転環２１とその端部に設けられた端面２２とからなっている。回転環２１の内周面には、螺旋状溝２１ａが形成されている。また、端面２２には、下側絞り羽根１２の回転連結穴１２ｅから突出した絞り駆動カムピン１５ｃに係合させるための絞り開放端規制カム溝２３が形成されている。この回転部材２０は、後述するレンズ装置に組み込まれた状態で光軸を中心に回動することにより、絞り開放端規制カム溝２３が、絞り駆動カムピン１５ｃの可動領域を制限し、常に絞り駆動カムピン１５ｃが絞りの開放端を規制するための絞り開放端規制手段となる。
【００２８】
図２（ｂ）に示すように、絞り開放端規制カム溝２３は、絞り機構１０側から見て、左端で光軸を中心とする放射方向において光軸から下底部２３ａまでの距離が最小で右へ向かうに従ってそれが徐々に広がっていき右端で最大になるような略弓状に形成されている。
【００２９】
この回転部材２０は、後述するズームレンズの変倍に際し、光軸を中心に回動するものである。ズームレンズの広角端から望遠端への変倍に従って、絞り開放端規制カム溝２３の下底部２３ａが絞り駆動カムピン１５ｃに対して摺動することによって、絞り駆動カムピン１５ｃが保持される位置を徐々に押し上げていく。このようにすることで、絞り駆動カムピン１５ｃは各ズームポジションに適した位置に保持され、ズームレンズの広角端から望遠端において各ズームポジションに応じた開口径の最大値を維持できる。なお、図２（ｂ）において、望遠端のときに絞り駆動カムピン１５ｃが絞り開放端規制カム溝２３の左端に位置し絞り開放端が最小開口となり、広角端のときに絞り駆動カムピン１５ｃが絞り開放端規制カム溝２３の右端に位置し絞り開放端が最大開口となる。この結果、ズームレンズの広角端から望遠端において各ズームポジションに必要以上の光が入射しないようにすることができる。
【００３０】
図３は、実施の形態１にかかるレンズ装置の構成を示す光軸に沿う断面図である。図３（ａ）は広角端の状態を、図３（ｂ）は望遠端の状態を示している。いずれも図の左が物体側である。このレンズ装置３０は、第１群固定レンズ３１ａと、第２群ズーム調整レンズ３１ｂと、第３群固定レンズ３１ｃと、第４群フォーカス調整レンズ３１ｄと、第５群固定レンズ３１ｅと、絞り機構１０（図１参照）と、回転部材２０（図２参照）と、を備えている。第１群固定レンズ３１ａと、第２群ズーム調整レンズ３１ｂと、第３群固定レンズ３１ｃと、第４群フォーカス調整レンズ３１ｄと、第５群固定レンズ３１ｅと、によりズームレンズが構成されている。
【００３１】
第１群固定レンズ３１ａは、第１群固定レンズ保持枠３２に保持されている。第２群ズーム調整レンズ３１ｂは、第２群ズーム調整レンズ保持枠３３に保持されている。第１群固定レンズ保持枠３２は、前鏡筒３４の先端に取り付けられる。第２群ズーム調整レンズ保持枠３３は、前鏡筒３４に収容される。さらに、前鏡筒３４の外周部に、回転部材２０が嵌め込まれ、回転部材２０の端面２２の一部が前鏡筒３４の後端から光軸Ｏに対して垂直に延びる淵部に当て付けられる。この状態で、第２群ズーム調整レンズ保持枠３３の外周部に形成された第２群ズーム調整レンズ保持枠駆動カムピン３３ａが、回転部材２０の内周面に形成された螺旋状溝２１ａに係合される。
【００３２】
絞り機構１０は、前鏡筒３４の後端に光軸Ｏに対して略垂直になるように取り付けられる。この状態で、絞り機構１０の絞り駆動カムピン１５ｃは、光軸Ｏと平行に物体側へ延び、その先端部が回転部材２０の絞り開放端規制カム溝２３に係合される。絞り開放端規制カム溝２３は光軸Ｏ周りに位置する。
【００３３】
後鏡筒３５は、第３群固定レンズ３１ｃを保持した状態で絞り機構１０を覆うように前鏡筒３４の後端に取り付けられている。第４群フォーカス調整レンズ３１ｄは、第４群フォーカス調整レンズ保持枠３６に保持されている。第４群フォーカス調整レンズ保持枠３６は、後鏡筒３５に収容されている。さらに、後鏡筒３５の外周部に、フォーカス環３７が嵌め込まれる。この状態で、第４群フォーカス調整レンズ保持枠３６の外周部に形成された第４群フォーカス調整レンズ保持枠カムピン３６ａが、フォーカス環３７の内周面に形成されたフォーカス溝３７ａに係合される。第５群固定レンズ３１ｅは、第５群固定レンズ保持枠３８に保持されている。この第５群固定レンズ保持枠３８は、後鏡筒３５の後端に取り付けられる。さらに、第５群固定レンズ保持枠３８の像側面には、カメラ取り付けマウント３９が設けられる。
【００３４】
本実施の形態のレンズ装置３０では、回転部材２０を光軸Ｏを中心に回動させることによりズームレンズの変倍（ズーミング）を行う。すなわち、回転部材２０を回動させると、第２群ズーム調整レンズ保持枠３３の第２群ズーム調整レンズ保持枠駆動カムピン３３ａが回転環２１の内周面に形成された螺旋状溝２１ａに沿って摺動することによって、第２群ズーム調整レンズ３１ｂを保持する第２群ズーム調整レンズ保持枠３３が光軸Ｏに沿う方向に移動し変倍を行う。回転部材２０の駆動は、ステッピングモータ等の動力によるものでもよいし、手動によるものであってもよい。
【００３５】
また、本実施の形態では、フォーカス環３７を光軸Ｏを中心に回動させ、第４群フォーカス調整レンズ３１ｄを保持する第４群フォーカス調整レンズ保持枠３６を光軸Ｏに沿う方向に移動させることにより、焦点調節（フォーカシング）を行う。フォーカス環３７の駆動は、ステッピングモータ等の動力によるものでもよいし、手動によるものであってもよい。
【００３６】
本実施の形態のレンズ装置３０では、ズームレンズの変倍に従って、絞り機構１０の駆動源１４が駆動して、下側絞り羽根１２、上側絞り羽根１３を光軸Ｏに対して略垂直な方向（図の上下方向）にスライドさせ、開口径の大きさを変化させる。このとき、何らかの要因によって、下側絞り羽根１２と上側絞り羽根１３とが開口径を開く方向にずれることにより、各ズームポジションに必要な光量以上が入射してしまって、良好な画像が得られないといったことも起こりうる。そこで、本実施の形態のレンズ装置３０では、ズームレンズの変倍動作に追従させて以下の動作を行う。
【００３７】
すなわち、ズームレンズの広角端から望遠端への変倍を行うに際し、図３（ａ）に示すように、回転部材２０を光軸Ｏを中心に矢印アの方向へ回転させる。これに伴って、第２群ズーム調整レンズ保持枠駆動カムピン３３ａが回転部材２０の螺旋状溝２１ａに対して摺動し、第２群ズーム調整レンズ保持枠３３が光軸Ｏに沿って矢印イの方向へ移動する。
【００３８】
このとき、回転部材２０は、図２（ａ）に示す矢印ウの方向へ回転することにより、絞り開放端規制カム溝２３の下底部２３ａが絞り機構１０の絞り駆動カムピン１５ｃに対して摺動し、絞り駆動カムピン１５ｃが保持される位置を徐々に押し上げていく。この結果、常に絞り駆動カムピン１５ｃが絞り開放端規制カム溝２３によって絞り開口を開放する方向（図３においては下方向）に動かないように規制され、各ズームポジションに必要以上の光が入射しないように制御することができる。
【００３９】
以上説明したように、実施の形態１のレンズ装置３０は、絞り装置１０の下側絞り羽根１２の動作を駆動するための絞り駆動カムピン１５ｃを、上側絞り羽根１３の動作を駆動するための絞り駆動ピン１５ｂよりも長く形成して、この絞り駆動カムピン１５ｃを回転部材２０の端面２２に形成された略弓状の絞り開放端規制カム溝２３に係合させることで、ズームレンズの変倍に伴う絞り開口径の変化を正確に制御することができる。すなわち、新たな部材を追加することなく、少ない部品点数で、各ズームポジションに必要以上の光が入射しないように制御することができる。
【００４０】
したがって、実施の形態１のレンズ装置では、従来技術に比べ、部品点数の削減を図ることによって装置の小型、軽量化を実現しつつ、撮影レンズの焦点距離変動に合わせた正確な絞り開口径の制御が可能になる。
【００４１】
ところで、図２に示した回転部材２０の端面２２に形成される絞り開放端規制カム溝２３は、絞り機構１０側から見て、左端で光軸を中心とする放射方向において光軸から下底部２３ａまでの距離が最小で右へ向かうに従ってそれが徐々に広がっていき右端で最大になる略弓状になっているが、絞り開放端規制カム溝２３の形状はこれに限定されるものではない。
【００４２】
図４は、回転部材２０の他の一例を示す図である。図４（ａ）は像（絞り機構１０）側から見た斜視図であり、図４（ｂ）は像（絞り機構１０）側から見た正面図である。同図に示すように、絞り機構１０側から見て、左端で光軸を中心とする放射方向において光軸から下底部２４ａまでの距離が最小で右へ向かうに従ってそれが徐々に広がっていき右端より若干手前で最大になるような形状の絞り開放端規制カム溝２４を形成してもよい。なお、図４に示す例では、望遠端のときに絞り駆動カムピン１５ｃが絞り開放端規制カム溝２４の左端に位置し絞り開放端が最小開口となるが、最大開口となるのは広角端となる絞り開放端規制カム溝２４の右端より若干左端側へずれた位置に絞り駆動カムピン１５ｃがあるときである。
【００４３】
図２，図４では、絞り開放端規制手段の一例として、回転部材２０の端面２２に形成された絞り開放端規制カム溝２３，２４を示したが、絞り開放端規制手段の形状は必ずしも溝形状である必要はない。ズームレンズの変倍動作に伴い、常に絞り駆動カムピン１５ｃが絞り開放端を規制することができれば、絞り開放端規制手段の形状は限定されない。
【００４４】
図５は、回転部材２０の他の一例を示す図である。同図は像（絞り機構１０）側から見た斜視図である。同図では、回転部材２０の端面２２に、絞り開放端規制手段として絞り開放端規制突起部２５が形成された例を示している。絞り開放端規制突起部２５は、絞り機構１０側から見て、左端で光軸を中心とする放射方向において光軸から上底部２５ａまでの距離が最小で右へ向かうに従ってそれが徐々に広がっていき右端で最大になるような略弓状に形成されている。図５に示す例では、望遠端のときに絞り駆動カムピン１５ｃが絞り開放端規制突起部２５の左端に位置し絞り開放端が最小開口となり、広角端のときに絞り駆動カムピン１５ｃが絞り開放端規制突起部２５の右端に位置し絞り開放端が最大開口となる。このような形状の絞り開放端規制突起部２５によっても、回転部材２０の回動により、絞り駆動カムピン１５ｃが絞り開口を開放する方向に動かないように規制することができる。
【００４５】
また、図２，図４，図５に示された回転部材２０は、回転環２１と端面２２とが一体化されたものであるが、それらが一体化されている必要はない。図６は、レンズ装置３０の他の一例を示す光軸に沿う断面図である。同図には、回転環２１と端面２２とをそれぞれ別体で構成し、レンズ装置３０に組み込む際に双方が接着されている例が示されている。
【００４６】
（実施の形態２）
図７は、実施の形態２にかかるレンズ装置に用いる絞り機構の斜視図である。図７（ａ）は最大開口（広角端）の状態を、図７（ｂ）は最小開口（望遠端）の状態を示しており、いずれも物体（不図示）側から見た状態を示している。
【００４７】
図７に示すように、本実施の形態のレンズ装置に用いる絞り機構４０では、駆動力伝達部１５のアーム１５ａの両端に形成される、絞り駆動ピン１５ｂと絞り駆動カムピン１５ｃとの位置を実施の形態１の場合とは逆にしている。すなわち、駆動力伝達部１５の絞り駆動ピン１５ｂを下側絞り羽根１２の回転連結穴１２ｅに挿入し、絞り駆動カムピン１５ｃを上側絞り羽根１３の回転連結穴１３ｅに対して挿通する。このとき、実施の形態１とは異なり、絞り駆動カムピン１５ｃが、上側絞り羽根１３の回転連結穴１３ｅから突出した状態になる。その他の構成は、実施の形態１の絞り機構１０の構成と同様である。
【００４８】
図８は、実施の形態２にかかるレンズ装置に用いる回転部材の構成を示す図である。図８（ａ）は像（絞り機構４０）側から見た斜視図であり、図８（ｂ）は像（絞り機構４０）側から見た正面図である。
【００４９】
前述のように、本実施の形態では、絞り機構４０において、絞り駆動カムピン１５ｃが、上側絞り羽根１３の回転連結穴１３ｅから突出しているため、絞り駆動カムピン１５ｃに係合させる絞り開放端規制カム溝の位置、形状を絞り駆動カムピン１５ｃの位置に適合させている。すなわち、図８に示すように、この回転部材５０において、端面２２に形成される絞り開放端規制カム溝２６は、絞り機構４０側から見て、左端で光軸を中心とする放射方向において光軸から上底部２６ａまでの距離が最小で右へ向かうに従ってそれが徐々に広がっていき右端で最大になるような略弓状に形成されている。
【００５０】
また、この回転部材５０の絞り開放端規制カム溝２６では、実施の形態１の場合とは異なり、上側絞り羽根１３の回転連結穴１３ｅから突出している絞り駆動カムピン１５ｃと係合している。このため、ズームレンズの広角端から望遠端への変倍に際して、回転部材５０の回転方向が実施の形態１の場合とは反対になる（図８（ｂ）に示す矢印エの方向）。そこで、回転環２１の内周面に形成される螺旋状溝２１ｂの螺旋は反対巻きになっている。
【００５１】
本実施の形態において、上記以外の構成は、実施の形態１に示したレンズ装置３０と同様である。このような本実施の形態によっても、ズームレンズの変倍に従って光軸Ｏを中心に回転部材５０が回動し、この回動により、絞り開放端規制カム溝２６の上底部２６ａが絞り機構４０の絞り駆動カムピン１５ｃに対して摺動して、ズームレンズの広角端から望遠端において各ズームポジションに応じた開口径の最大値を維持できる。なお、図８（ｂ）において、広角端のときに絞り駆動カムピン１５ｃが絞り開放端規制カム溝２６の左端に位置し絞り開放端が最大開口となり、望遠端のときに絞り駆動カムピン１５ｃが絞り開放端規制カム溝２６の右端に位置し絞り開放端が最小開口となる。この結果、ズームレンズの広角端から望遠端において各ズームポジションに必要以上の光が入射しないようにすることができる。本実施の形態においても、実施の形態１と同様、部品数を削減し、装置の小型、軽量化を促進しながら、撮影レンズの焦点距離変動に合わせた正確な絞り開口径の制御が可能なレンズ装置を実現できる。
【００５２】
ところで、上記各実施の形態において、絞り開放端規制カム溝２３，２４，２６に係合させる絞り駆動カムピン１５ｃは、一本の軸により構成されている例を示した。しかし、絞り駆動カムピン１５ｃは、絞り駆動ピン１５ｂと同等の長さに形成された軸に延設部が設けられた形状であってもよい。このように構成された一例を実施の形態２の構成を基に以下に示す。
【００５３】
図９は、実施の形態２にかかるレンズ装置に用いる絞り機構の一変形例を示す図である。同図に示すように、絞り機構６０では、駆動力伝達部１５のアーム１５ａの両端に同じ絞り駆動ピン１５ｂを形成している。それぞれの絞り駆動ピン１５ｂを上側絞り羽根１３の回転連結穴１３ｅ、下側絞り羽根１２の回転連結穴１２ｅに挿入する。そして、回転連結穴１３ｅに挿入された絞り駆動ピン１５ｂの先端に延設部１６を設ける。
【産業上の利用可能性】
【００５４】
以上のように、本発明にかかるレンズ装置は、小型、軽量化が要求される撮像機器に有用であり、特に、撮影レンズの焦点距離変動に合わせた正確な絞り開口径の制御が求められる撮像機器に適している。
【符号の説明】
【００５５】
１０，４０，６０  絞り機構
１１  絞りホルダ
１２  下側絞り羽根
１３  上側絞り羽根
１４  駆動源
１５  駆動力伝達部
１５ａ  アーム
１５ｂ  絞り駆動ピン
１５ｃ  絞り駆動カムピン
１６  延設部
２０，５０  回転部材
２１  回転環
２１ａ，２１ｂ  螺旋状溝
２２  端面
２３，２４，２６  絞り開放端規制カム溝（絞り開放端規制手段）
２３ａ，２４ａ  下底部
２５  絞り開放端規制突起部（絞り開放端規制手段）
２５ａ，２６ａ  上底部
３０  レンズ装置
３１ａ  第１群固定レンズ
３１ｂ  第２群ズーム調整レンズ
３１ｃ  第３群固定レンズ
３１ｄ  第４群フォーカス調整レンズ
３１ｅ  第５群固定レンズ
３２  第１群固定レンズ保持枠
３３  第２群ズーム調整レンズ保持枠
３３ａ  第２群ズーム調整レンズ保持枠駆動カムピン
３４  前鏡筒
３５  後鏡筒
３６  第４群フォーカス調整レンズ保持枠
３６ａ  第４群フォーカス調整レンズ保持枠カムピン
３７  フォーカス環
３７ａ  フォーカス溝
３８  第５群固定レンズ保持枠
３９  カメラ取り付けマウント
【図１】
2014032261.tif 000003
【図２】
2014032261.tif 000004
【図３】
2014032261.tif 000005
【図４】
2014032261.tif 000006
【図５】
2014032261.tif 000007
【図６】
2014032261.tif 000008
【図７】
2014032261.tif 000009
【図８】
2014032261.tif 000010
【図９】
2014032261.tif 000011